(57)【要約】【課題】集中管理装置への状態データの送信の集中による不具合の発生を低減することができる複数設備集中管理システム、集中管理装置および複数設備の管理方法を提供する。【解決手段】複数設備集中管理システム１は、複数の設備２ａ−２ｆと、集中管理装置３とを備える。設備２ａ−２ｆは、設備機器２０ａ−２０ｆと、設備機器２０ａ−２０ｆの状態を示す運転データ（状態データ）を記憶するコントローラ２１ａ−２１ｆとをそれぞれ有する。集中管理装置３は、複数の設備２ａ−２ｆを管理する。コントローラ２１ａ−２１ｆは、設備２ａ−２ｆ毎に設定される送信時間に、通信回線網４を介して運転データを集中管理装置３へと送信する。そして、集中管理装置３は、設備２ａ−２ｆ毎の運転データの大きさを考慮して設備２ａ−２ｆ毎に送信時間を設定する。【選択図】        図１
2004310265.tif 000002
【特許請求の範囲】
【請求項１】
設備機器（２０ａ−２０ｆ）と、前記設備機器（２０ａ−２０ｆ）の状態を示す状態データを記憶する機器管理装置（２１ａ−２１ｆ）とをそれぞれ有する複数の設備（２ａ−２ｆ）と、
複数の前記設備（２ａ−２ｆ）を管理する集中管理装置（３）と、を備え、
前記機器管理装置（２１ａ−２１ｆ）は、前記設備（２ａ−２ｆ）毎に設定される送信時間に、通信回線（４）を介して前記状態データを前記集中管理装置（３）へと送信し、
前記集中管理装置（３）は、前記設備（２ａ−２ｆ）毎の前記状態データの大きさを考慮して前記設備（２ａ−２ｆ）毎に前記送信時間を設定する、複数設備集中管理システム（１）。
【請求項２】
前記集中管理装置（３）は、比較的大きな状態データの受信と比較的小さな状態データの受信とが分散するように、前記送信時間を設定する、請求項１に記載の複数設備集中管理システム（１）。
【請求項３】
前記集中管理装置（３）は、所定期間内に受信した前記状態データを集計し、集計結果を考慮して前記送信時間の設定を前記所定期間後に行う、請求項１または２に記載の複数設備集中管理システム（１）。
【請求項４】
前記集中管理装置（３）は、前記状態データの集計と、前記集計結果を考慮した前記送信時間の設定とを定期的に行う、請求項３に記載の複数設備集中管理システム（１）。
【請求項５】
前記集中管理装置（３）は、前記送信時間の設定を手動で行う手動設定手段（３４）を有する、請求項４に記載の複数設備集中管理システム（１）。
【請求項６】
前記集中管理装置（３）は、前記状態データを除く他のデータの送受信の時間をさらに考慮して、前記状態データの前記送信時間を設定する、請求項１から５のいずれかに記載の複数設備集中管理システム（１）。
【請求項７】
前記集中管理装置（３）は、前記他のデータの送受信を優先して前記状態データの前記送信時間を設定する、請求項６に記載の複数設備集中管理システム（１）。
【請求項８】
前記集中管理装置（３）は、前記他のデータの送受信と前記状態データの受信とを連続して行うように前記送信時間を設定する、請求項６または７に記載の複数設備集中管理システム（１）。
【請求項９】
前記集中管理装置（３）は、前記状態データが所定レベルよりも大きい場合には、前記状態データを複数回に分けて受信するように前記送信時間を分けて設定する、請求項１から８のいずれかに記載の複数設備集中管理システム（１）。
【請求項１０】
前記集中管理装置（３）は、前記状態データを受信できなかった場合を示す不受信履歴を記憶し、前記不受信履歴をさらに考慮して前記送信時間を設定する、請求項１から９のいずれかに記載の複数設備集中管理システム（１）。
【請求項１１】
前記集中管理装置（３）は、前記通信回線（４）の使用状況をさらに考慮して前記送信時間を設定する、請求項１から１０のいずれかに記載の複数設備集中管理システム（１）。
【請求項１２】
設備機器（２０ａ−２０ｆ）と、前記設備機器（２０ａ−２０ｆ）の状態を示す状態データを記憶する機器管理装置（２１ａ−２１ｆ）とをそれぞれ有する複数の設備（２ａ−２ｆ）を管理する集中管理装置（３）であって、
前記設備（２ａ−２ｆ）毎に設定される送信時間に前記機器管理装置（２１ａ−２１ｆ）から送信される前記状態データを通信回線（４）を介して受信する受信部（３１）と、
前記設備（２ａ−２ｆ）毎の前記状態データの大きさを考慮して前記設備（２ａ−２ｆ）毎に前記送信時間を設定する設定部（３３）と、を備える集中管理装置（３）。
【請求項１３】
設備機器（２０ａ−２０ｆ）と、前記設備機器（２０ａ−２０ｆ）の状態を示す状態データを記憶する機器管理装置（２１ａ−２１ｆ）とをそれぞれ有する複数の設備（２ａ−２ｆ）を集中管理装置（３）によって管理する複数設備の管理方法であって、
前記集中管理装置（３）が、前記設備（２ａ−２ｆ）毎の前記状態データの大きさを考慮して、前記機器管理装置（２１ａ−２１ｆ）が前記状態データを送信する送信時間を前記設備（２ａ−２ｆ）毎に設定する第１ステップ（Ｓ４）と、前記機器管理装置（２１ａ−２１ｆ）が前記状態データを通信回線（４）を介して前記集中管理装置（３）へと前記送信時間に送信する第２ステップ（Ｓ１）と、を備える複数設備の管理方法。
【発明の詳細な説明】
【０００１】
【発明の属する技術分野】
本発明は、複数設備集中管理システム、集中管理装置および複数設備の管理方法に関する。
【０００２】
【従来の技術】
近年、商業ビル、オフィスビル、病院、ホテル、倉庫、工場など、様々な対象物件に配備された設備機器を、遠隔に設置された管理センター等によって管理するという複数設備集中管理システムが現れている。管理センターには、集中管理装置が配置され、空調設備などの設備機器と通信回線を介して接続されている。そして、このような複数設備集中管理システムには、設備機器の状態を表す状態データを蓄積して、蓄積された状態データを定期的に集中管理装置へと送信させるものがある。集中管理装置は、受信した状態データに基づいて設備機器の日々の状態を判断して管理を行うことができ、より充実した管理が行われる。
【０００３】
このように通信回線を介して状態データの送信が行われる場合、集中管理装置への状態データの送信が集中して行われる恐れがある。すなわち、複数の対象物件から状態データがそれぞれ送信される場合、集中管理装置に短時間に複数の物件からの状態データが集中して送信される恐れがある。このため、集中管理装置への送信が集中することを避けるために、送信時間が物件毎にずらして設定されている。
【０００４】
【特許文献１】
特開２００２−１０５３２号公報
【０００５】
【発明が解決しようとする課題】
しかし、上記のように物件毎に送信時間がずらして設定されても、状態データの大きさによっては、状態データの集中管理装置への送信が集中する場合がある。例えば、ある対象物件から状態データが送信され集中管理装置がその状態データを受信しているとする。この状態データの送信が完了するまでの時間は、状態データの大きさに依るため、この状態データが比較的大きなものである場合には、次の対象物件からの送信時間になっても、前の対象物件からの送信がまだ完了していないことがある。この場合、状態データの送信が集中してしまう。このため、次の対象物件からの状態データの送信が不能となったり、集中管理装置への負荷が増大したりするなどの不具合が生じる恐れがある。
【０００６】
本発明の課題は、集中管理装置への状態データの送信の集中による不具合の発生を低減することができる複数設備集中管理システム、集中管理装置および複数設備の管理方法を提供することにある。
【０００７】
【課題を解決するための手段】
請求項１に記載の複数設備集中管理システムは、複数の設備と、集中管理装置とを備える。設備は、設備機器と、設備機器の状態を示す状態データを記憶する機器管理装置とをそれぞれ有する。集中管理装置は、複数の設備を管理する。機器管理装置は、設備毎に設定される送信時間に、通信回線を介して状態データを集中管理装置へと送信する。そして、集中管理装置は、設備毎の状態データの大きさを考慮して設備毎に送信時間を設定する。なお、ここでいう送信時間の設定には、送信時間の再設定や初期設定等を含む。
【０００８】
この複数設備集中管理システムでは、集中管理装置は、設備毎の送信時間の設定について、設備毎の状態データの大きさを考慮する。このため、状態データが大きいために送信完了までの時間が長くなった場合でも、複数の設備からの状態データの送信が集中することを低減することができる。これにより、この複数設備集中管理システムでは、集中管理装置への状態データの送信の集中による不具合の発生を低減することができる。
【０００９】
請求項２に記載の複数設備集中管理システムは、請求項１に記載の複数設備集中管理システムであって、集中管理装置は、比較的大きな状態データの受信と比較的小さな状態データの受信とが分散するように、送信時間を設定する。
この複数設備集中管理システムでは、比較的大きな状態データの受信と比較的小さな状態データの受信とが分散するように、各設備の送信時間が設定される。
このため、状態データが大きいために送信完了までの時間が長くなった場合でも、小さな状態データの送信完了までの時間は短いため、全体として状態データの送信の集中が緩和される。これにより、この複数設備集中管理システムでは、集中管理装置への状態データの送信の集中による不具合の発生を低減することができる。
【００１０】
請求項３に記載の複数設備集中管理システムは、請求項１または２に記載の複数設備集中管理システムであって、集中管理装置は、所定期間内に受信した状態データを集計し、集計結果を考慮して送信時間の設定を所定期間後に行う。
この複数設備集中管理システムでは、所定期間内に受信された状態データの集計結果が考慮されて、送信時間が設定される。このため、設備の過去の状態データから、今後送信される状態データの大きさを予測することができる。そして、その予測に基づいてその設備の送信時間を設定することができる。このように、この複数設備集中管理システムによれば、送信される状態データの大きさが不明であっても、所定期間に受信した状態データを考慮することによって、適切に送信時間を設定することができる。
【００１１】
請求項４に記載の複数設備集中管理システムは、請求項３に記載の複数設備集中管理システムであって、集中管理装置は、状態データの集計と、集計結果を考慮した送信時間の設定とを定期的に行う。
この複数設備集中管理システムでは、状態データの集計と、集計結果を考慮した送信時間の設定とが定期的に行われる。このため、ある設備の状態データの大きさが途中から変更になった場合でも、変更後の状態データの大きさが考慮されて送信時間の設定が行われる。このように、この複数設備集中管理システムは、途中で状態データの大きさが変更になっても、この変更に適切に対応することができる。
【００１２】
請求項５に記載の複数設備集中管理システムは、請求項４に記載の複数設備集中管理システムであって、集中管理装置は、送信時間の設定を手動で行う手動設定手段を有する。
この複数設備集中管理システムでは、集中管理装置が送信時間の設定を手動で行う手動設定手段を有する。このため、異常発生時などには手動で送信時間の設定を行うことができる。これにより、この複数設備集中管理システムは、異常発生時にも適切に対応することができる。
【００１３】
請求項６に記載の複数設備集中管理システムは、請求項１から５のいずれかに記載の複数設備集中管理システムであって、集中管理装置は、状態データを除く他のデータの送受信の時間をさらに考慮して、状態データの送信時間を設定する。
複数設備集中管理システムでは、状態データの送受信だけではなく、その他のデータの送受信が行われることが多い。例えば、気象データのダウンロードやバックアップデータの送受信などが行われる。このような他のデータの送受信が状態データの送受信と重なり集中すると、状態データや他のデータ送受信が不能となったり、集中管理装置への負荷が増大したりするなどの不具合が生じうる。
【００１４】
しかし、この複数設備集中管理システムでは、状態データを除く他のデータの送受信の時間がさらに考慮されて、状態データの送信時間が設定される。このため、状態データおよび他のデータの受信が集中することを低減することができる。これにより、この複数設備集中管理システムでは、状態データおよび他のデータが集中することによる不具合の発生を低減することができる。
【００１５】
請求項７に記載の複数設備集中管理システムは、請求項６に記載の複数設備集中管理システムであって、集中管理装置は、他のデータの送受信を優先して状態データの送信時間を設定する。
この複数設備集中管理システムでは、他のデータの送受信が優先されて状態データの送信時間が設定される。このため、状態データの送受信が他のデータの送受信の妨げとなる恐れを低減することができる。
【００１６】
請求項８に記載の複数設備集中管理システムは、請求項６または７に記載の複数設備集中管理システムであって、集中管理装置は、他のデータの送受信と状態データの受信とを連続して行うように送信時間を設定する。
他のデータの中には、状態データと共に参照されることが望ましいものがある。そして、この複数設備集中管理システムでは、他のデータの送受信と状態データの受信とが連続して行われるように送信時間が設定される。従って、この複数設備集中管理システムでは、状態データと共に参照されることが望ましいような他のデータの受信と状態データとの受信とが連続して行われるように送信時間を設定することができる。
【００１７】
請求項９に記載の複数設備集中管理システムは、請求項１から８のいずれかに記載の複数設備集中管理システムであって、集中管理装置は、状態データが所定レベルよりも大きい場合には、状態データを複数回に分けて受信するように送信時間を分けて設定する。
この複数設備集中管理システムでは、状態データが所定レベルよりも大きい場合には、状態データが複数回に分けて受信されるように送信時間が分けて設定される。このため、状態データが大きい場合には、状態データを分けて送信することにより１回当りの送信時間を少なくすることができる。これにより、この複数設備集中管理システムでは、状態データの送信の集中による不具合の発生を低減することができる。
【００１８】
請求項１０に記載の複数設備集中管理システムは、請求項１から９のいずれかに記載の複数設備集中管理システムであって、集中管理装置は、状態データを受信できなかった場合を示す不受信履歴を記憶し、不受信履歴をさらに考慮して送信時間を設定する。
この複数設備集中管理システムでは、不受信履歴がさらに考慮されて送信時間が設定される。このため、より適切に送信時間の設定を行うことができる。
【００１９】
請求項１１に記載の複数設備集中管理システムは、請求項１から１０のいずれかに記載の複数設備集中管理システムであって、集中管理装置は、通信回線の使用状況をさらに考慮して送信時間を設定する。
状態データの送信が集中する場合だけではなく、状態データの送受信以外の通信回線の使用状況と状態データの送信とが重なり集中する場合にも不具合が生じる恐れがある。
【００２０】
しかし、この複数設備集中管理システムでは、通信回線の使用状況がさらに考慮されて送信時間が設定される。このため、より適切に送信時間の設定を行うことができる。
請求項１２に記載の集中管理装置は、複数の設備を管理する集中管理装置であって、受信部と設定部とを備える。設備は、設備機器と、設備機器の状態を示す状態データを記憶する機器管理装置とをそれぞれ有する。受信部は、設備毎に設定される送信時間に機器管理装置から送信される状態データを通信回線を介して受信する。設定部は、設備毎の状態データの大きさを考慮して設備毎に送信時間を設定する。
【００２１】
この集中管理装置では、設備毎の送信時間の設定について、設備毎の状態データの大きさが考慮される。このため、状態データが大きいために送信完了までの時間が長くなった場合でも、複数の設備からの状態データの受信が重なり集中することを低減することができる。これにより、この集中管理装置では、状態データの送信の集中による不具合の発生を低減することができる。
【００２２】
請求項１３に記載の複数設備の管理方法は、複数の設備を集中管理装置によって管理する複数設備の管理方法であって、第１ステップと第２ステップとを備える。設備は、設備機器と、設備機器の状態を示す状態データを記憶する機器管理装置とをそれぞれ有する。第１ステップでは、集中管理装置が、設備毎の状態データの大きさを考慮して、機器管理装置が状態データを送信する送信時間を設備毎に設定する。第２ステップでは、機器管理装置が状態データを通信回線を介して集中管理装置へと送信時間に送信する。
【００２３】
この複数設備の管理方法では、設備毎の送信時間の設定について、設備毎の状態データの大きさが考慮される。このため、状態データが大きいために送信完了までの時間が長くなった場合でも、複数の設備からの状態データの受信が重なり集中することを低減することができる。これにより、この複数設備の管理方法では、状態データの送信の集中による不具合の発生を低減することができる。
【００２４】
【発明の実施の形態】
［第１実施形態］
＜構成＞
〔複数設備集中管理システム全体の構成〕
本発明の一実施形態が採用された複数設備集中管理システム１の構成を示すブロック図を図１に示す。
【００２５】
この複数設備集中管理システム１は、ビルや工場等の複数の物件にそれぞれ配置された設備機器を各物件に配置されたコントローラで制御すると共に、設備機器をセンター内の集中管理装置で遠隔から管理するシステムである。
複数設備集中管理システム１は、主として、複数の設備と集中管理装置３とにより構成される。以下、複数の設備として、物件Ａ、物件Ｂ、物件Ｃ、物件Ｄ、物件Ｅおよび物件Ｆにそれぞれ配置されている設備２ａ、設備２ｂ、設備２ｃ、設備２ｄ、設備２ｅおよび設備２ｆについて説明するが、複数設備集中管理システム１を構成する設備はこれらに限られるものではない。
【００２６】
〔設備の構成〕
設備２ａ−２ｆは、各物件Ａ−Ｆにそれぞれ配置されており、設備機器２０ａ−２０ｆとコントローラ２１ａ−２１ｆとをそれぞれ有する。以下、物件Ａに配置された設備２ａを例として説明する。なお、他の物件に配置された設備２ｂ−２ｆも同様の構成であるが、設備機器の種類や台数が異なる場合がある。
【００２７】
設備機器２０ａは、複数台の空気調和機であり、物件Ａ内に配置され室内の空気調和を行う。なお、設備機器２０ａは、空気調和機に限らず給湯装置や照明などの他の設備機器であってもよい。
コントローラ２１ａは、設備機器２０ａと通信線により接続され、設備機器２０ａが配置される物件Ａ内の管理室等に配置される。コントローラ２１ａは、設備機器２０ａの制御を行う。また、コントローラ２１ａは、集中管理装置３と通信回線網４を介して接続されており、通信回線網４を介して設備機器２０ａの運転データを集中管理装置３へと送信する。この運転データは、室内温度、設備機器２０ａで実行された制御内容、設備機器２０ａの消費電力、設定温度や冷暖房の設定などである。これらの運転データは、一定時間毎、例えば１０分毎に各設備機器２０ａから検出され、コントローラ２１ａに記憶されて蓄積される。そして、コントローラ２１ａは、蓄積された運転データを設定された送信時間にまとめて集中管理装置３へと送信する。この送信時間は、各物件Ａ−Ｆの設備２ａ−２ｆ毎に設定されており、集中管理装置３によって設定される。
【００２８】
〔集中管理装置３の構成〕
集中管理装置３は、コントローラ２１ａ−２１ｆに接続された設備機器２０ａ−２０ｆを遠隔から集中管理する装置であり、設備機器２０ａ−２０ｆが配置された各物件Ａ−Ｆから離れたセンター内に配置される。集中管理装置３が行う管理の内容としては、異常監視、最適自動制御、報告書自動作成等がある。異常監視は、コントローラ２１ａ−２１ｆから送られる設備機器２０ａ−２０ｆの運転データから設備機器２０ａ−２０ｆに異常が発生しているか否かを判断し、異常が発生している場合には各物件Ａ−Ｆの管理者等に通知するという管理内容である。最適自動制御は、種々の条件で設備機器２０ａ−２０ｆを最適に制御するものであり、省エネ制御やデマンド制御がある。省エネ制御は、一定量の消費電力が削減されるように各設備機器２０ａ−２０ｆに対して省エネルギ制御を自動的に行うという制御である。電力デマンド制御は、設備機器２０ａ−２０ｆの最大需要電力を契約電力あるいは管理目標電力に抑える制御である。報告書自動作成とは最適自動制御の運用効果などをまとめた報告書を自動的に作成し定期的に各物件Ａ−Ｆの所有者や管理者等に送るという管理内容である。
【００２９】
図２に集中管理装置３の構成を表すブロック図を示す。集中管理装置３は、主として、通信部３１、記憶部３２、設定部３３および手動設定部３４を有している。
通信部３１は、コントローラ２１ａ−２１ｆとのデータ信号の送受信を行う部分である。通信部３１は、設備２ａ−２ｆ毎に設定された送信時間に各コントローラ２１ａ−２１ｆから送信される運転データを通信回線網４を介して受信する。また、通信部３１は、設定部３３によって設定された各設備２ａ−２ｆの送信時間の設定に関する設定データを各設備２ａ−２ｆのコントローラ２１ａ−２１ｆへと送信する。
【００３０】
記憶部３２は、コントローラ２１ａ−２１ｆから送信された設備機器２０ａ−２０ｆの運転データ等を記憶する。
設定部３３は、設備２ａ−２ｆ毎の運転データの大きさを考慮して設備２ａ−２ｆ毎に送信時間を設定する。設定部３３は、所定期間内に各設備２ａ−２ｆのコントローラ２１ａ−２１ｆから受信した運転データを集計して、各コントローラ２１ａ−２１ｆから送信される運転データの大きさを評価する。そして、設定部３３は、この集計結果を考慮して、各設備２ａ−２ｆのコントローラ２１ａ−２１ｆの送信時間の設定を行う。設定された送信時間は、設定データとして通信部３１から各コントローラ２１ａ−２１ｆへと送信され、各コントローラ２１ａ−２１ｆに記憶される。そして、所定期間、この送信時間で運転データの送信が再び行われ、その後に運転データの集計、評価および送信時間の設定が再び行われる。このように、設定部３３は、運転データの集計と、集計結果を考慮した送信時間の設定とを定期的に行う。
【００３１】
手動設定部３４は、集中管理装置３の使用者等が手動で各コントローラ２１ａ−２１ｆに対して送信時間の設定を行うための部分である。使用者等は、異常発生時に手動設定部３４により送信時間を手動で設定することができる。
＜設定動作＞
次に、本実施形態にかかる複数設備集中管理システム１において特徴的な送信時間の設定動作について例を挙げて説明する。理解の容易のため、本実施形態にかかる複数設備集中管理システム１の管理対象である複数の設備のうち、物件Ａ−Ｆにそれぞれ配置された設備２ａ−２ｆを例に挙げて説明する。
【００３２】
図３に設定動作のフローチャートを示す。
設備２ａ−２ｆのそれぞれのコントローラ２１ａ−２１ｆは、一定時間毎、例えば１０分毎に各設備機器２０ａ−２０ｆから検出された運転データを記憶して蓄積する。そして、各コントローラ２１ａ−２１ｆは、蓄積された１日分の運転データを予め設定された送信時間にまとめて集中管理装置３へと送信する（ステップＳ１）。
【００３３】
集中管理装置３は、各コントローラ２１ａ−２１ｆから送信された運転データを受信する。この運転データの送受信は、１日１回、設備２ａ−２ｆ毎に設定された送信時間に行われ、１週間、同じ送信時間に行われる。集中管理装置３は、１週後に１週間分の運転データをコントローラ２１ａ−２１ｆ毎に集計して（ステップＳ２）、各コントローラ２１ａ−２１ｆから送られる１回当たりの運転データの平均的な大きさを評価する（ステップＳ３）。
【００３４】
集中管理装置３が評価を行ったところ、図４に示すように、２００２年１２月１日から２００２年１２月７日までの１週間に物件Ａ−Ｆの各コントローラ２１ａ−２１ｆから送られた１回当りの運転データの大きさが略同じでであったとする。なお、この程度の大きさの運転データの送信開始から送信完了までには約５分必要であるとする。
【００３５】
集中管理装置３は、この集計結果を基にして、図５のように各物件Ａ−Ｆの送信時間を設定する（ステップＳ４）。集中管理装置３は、各物件Ａ−Ｆについて、順に午前１０時から１０分間隔で運転データの送信時間を設定する。例えば、物件Ａでは、送信時間は午前１０時であり、午前１０時からコントローラ２１ａからの運転データの送信が開始される（白抜き矢印Ａ１参照）。そして、午前１０時５分頃に物件Ａのコントローラ２１ａからの運転データの送信が完了する。
次に、午前１０時１０分に物件Ｂのコントローラ２１ｂから運転データの送信が開始される（白抜き矢印Ａ２参照）。以下、同様にして物件Ｆまで繰り返される（白抜き矢印Ａ３―Ａ６参照）。
【００３６】
そして、物件Ａ−Ｆのコントローラ２１ａ−２１ｆは、それぞれに設定された送信時間に運転データの送信を行い、同じ送信時間で運転データの送信が１週間続けられる。この間、集中管理装置３は、運転データに基づいて各設備２ａ−２ｆの設備機器２０ａ−２０ｆの管理を行う。
１週間後、集中管理装置３は、再び１週間分の運転データをコントローラ２１ａ−２１ｆ毎に集計して、各コントローラ２１ａ−２１ｆから送られる１回当たりの運転データの平均的な大きさを評価する。
【００３７】
集中管理装置３が評価を行ったところ、図６に示すように、２００２年１２月８日から２００２年１２月１４日までの物件Ａ、物件Ｂおよび物件Ｃからの運転データの大きさが約３倍になっていたとする。なお、このような運転データの増大は、物件Ａ−Ｃへの設備機器２０ａ−２０ｃの増設やデマンド制御等の管理サービスの増設によって生じる。また、季節による設備機器２０ａ−２０ｃの使用状況の変化など、外的要因によっても運転データの増大が生じうる。
【００３８】
集中管理装置３は、以上のような集計結果を基にして、図７に示すように各コントローラ２１ａ−２１ｆの送信時間を再設定する。集中管理装置３は、運転データの大きさが比較的大きい物件Ａ、物件Ｂおよび物件Ｃと、運転データの大きさが比較的小さい物件Ｄ、物件Ｅおよび物件Ｆとの送信時間が分散するように送信時間を設定する。つまり、運転データの大きさが比較的大きい物件Ａ、物件Ｂおよび物件Ｃの送信時間が連続しないように、物件Ａ、物件Ｂおよび物件Ｃの送信時間の間に物件Ｄ、物件Ｅおよび物件Ｆの送信時間を設定する。例えば、物件Ａでは、送信時間は午前１０時であり、午前１０時から運転データの送信が開始される（白抜き矢印Ａ７参照）。そして、午前１０時１５分頃に設備機器Ａのコントローラ２１ａからの運転データの送信が完了する。一方、物件Ｄの送信時間は午前１０時１０分であるが、物件Ａからの運転データは比較的大きいため、この時間にはまだ物件Ａからの送信が続いている。このため、物件Ｄからの送信は開始されず待ち状態となる（図中の白抜き矢印Ａ８の破線部分参照）。そして、物件Ａからの送信が完了する午前１０時１５分から物件Ｄからの送信が遅れて開始される（白抜き矢印Ａ８参照）。しかし、物件Ｄからの運転データは比較的小さいため、送信が送れて開始されても、次の物件Ｂからの送信時間である午前１０時２０分までに、物件Ｄからの送信が完了する。そして、物件Ｂからの送信が午前１０時２０分から時間通りに開始される（白抜き矢印Ａ９参照）。以下、物件Ｅ、物件Ｃおよび物件Ｆからの送信も順次行われる（白抜き矢印Ａ１０―Ａ１２参照）。
【００３９】
以上のように、この複数設備集中管理システム１では、上記の様な設定動作が１週間毎に繰り返され、運転データの集計および評価と送信時間の再設定とが定期的に行われる。
＜特徴＞
（１）
この複数設備集中管理システム１では、比較的大きな運転データの送信と比較的小さな運転データの送信とが分散するように、各設備２ａ−２ｆからの運転データの送信時間が設定される。このため、運転データが大きいために送信完了までの時間が長くなった場合でも、小さな運転データの送信完了までの時間は短いため、全体として運転データの集中が緩和される。
【００４０】
例えば、途中で物件Ａ、物件Ｂおよび物件Ｃからの運転データの大きさが約３倍になった場合においても、物件Ａから物件Ｆまでの送信時間の順番が変わらなかったと想定する。この場合、図１２に示すように、物件Ｂの送信時間になっても物件Ａからの送信が完了していないため、物件Ｂからの送信は行われず待ち状態となる（白抜き矢印Ａ１４の破線部分参照）。そして、物件Ａからの送信が完了する午前１０時１５分に、物件Ｂからの送信が遅れて開始される（白抜き矢印Ａ１４参照）。また、物件Ｂの運転データは比較的大きいため、物件Ｃの送信時間になっても、物件Ｂからの送信は完了しない。このため、物件Ｃの送信時間になっても物件Ｃからの送信は行われず（白抜き矢印Ａ１５の破線部分参照）、物件Ｃからの送信がさらに遅れて開始される。さらに、物件Ｃの運転データも比較的大きいため、次の物件Ｄの送信時間も遅れることになる（白抜き矢印Ａ１６参照）。このように送信時間が後にずれる結果、次の物件Ｅの送信時間になっても、物件Ｃの送信が完了していないことになる。従って、この時間には、物件Ｄだけではなく物件Ｅからの送信も待ち状態となる。
【００４１】
このように、複数の物件からの運転データの送信が重なると、集中管理装置３への負荷が増大してしまう。このため、後の物件からの運転データが受信できない恐れがある。特に、ダイヤルアップ接続のように、同時に送受信できる対象数が回線数によって制限されるような通信回線網４が利用される場合には、複数の物件からの運転データの送信が重なることにより、後の物件からの運転データが受信できなくなる。また、同時に送受信できる対象数が制限されないような通信回線網４が使用される場合でも、集中管理装置３への負荷の増大により、フリーズ等の不具合が生じる恐れがある。
【００４２】
しかし、本実施形態にかかる複数設備集中管理システム１では、上述したように、運転データの集中が緩和される。これにより、この複数設備集中管理システム１では、複数の運転データが集中管理装置３へと送信される場合の不具合が軽減される。
（２）
この複数設備集中管理システム１では、所定期間の運転データの集計および評価結果に基づいて、次の所定期間の送信時間が設定される。つまり、過去の運転データから次の所定期間に送られる運転データの大きさが予測されて送信時間が設定される。このため、送信される運転データの大きさが直接には把握されなくても、適切に送信時間を設定することができる。
【００４３】
（３）
この複数設備集中管理システム１では、運転データの集計、評価および送信時間の再設定が定期的に行われる。このため、途中で運転データの大きさが変更になった場合にも、変更後の再設定時に、設定時間が変更後の運転データに対応して設定される。このため、この複数設備集中管理システム１は、運転データの変更に柔軟に対応することができる。
【００４４】
（４）
この複数設備集中管理システム１では、各物件Ａ−Ｆの送信時間の設定を手動設定部３４により、手動で行うことも可能である。このため、異常発生時などには手動で送信時間の設定を行うことができる。これにより、この複数設備集中管理システム１は、異常発生時にも適切に対応することができる。また、複数設備集中管理システム１の初期設定が手動設定部３４によって手動で行われてもよい。
【００４５】
［第２実施形態］
＜設定動作＞
本発明の第２実施形態にかかる複数設備集中管理システムでは、集中管理装置３は、運転データの大きさだけではなく、運転データを除く他のデータの送受信の時間をさらに考慮して、運転データの送信時間を設定する。
【００４６】
他のデータとは、例えば、気象データやバックアップデータなどがある。気象データとは、外部の気象情報センターから集中管理装置３へと送られる天候等の予測情報であり、気象センター等から通信回線網４を介して集中管理装置３へと送信され、集中管理装置３に記憶される。気象データは、特に設備機器２０ａ−２０ｆが空気調和機である場合に、空調運転の参考として有効に利用される。気象データは、各物件Ａ−Ｆのコントローラ２１ａ−２１ｆから集中管理装置３へと運転データの送信が行われた後に続けて、集中管理装置３から運転データの送信が行われたコントローラ２１ａ−２１ｆへと送信される。バックアップデータは、コントローラ２１ａ−２１ｆが記憶している各種のデータのバックアップを取るためにコントローラ２１ａ−２１ｆから集中管理装置３へと送信されるデータである。
【００４７】
以下、気象データの送信が行われる場合について図８に示す例に基づいて説明する。
この例では、物件Ａからの運転データの送信完了後に、集中管理装置３から物件Ａのコントローラ２１ａ−２１ｆへ気象データの送信が行われる。集中管理装置３は、気象データの物件Ａへの送信と、物件Ａからの運転データの送信とが連続して行われるように送信時間を設定する。つまり図８に示すように、物件Ａの送信時間が午前１０時に設定され、午前１０時１５分頃に送信が完了すると（白抜き矢印Ａ１８参照）、続けて気象データが集中管理装置３から物件Ａへと送信される（白抜き矢印Ａ１９参照）。また、集中管理装置３は、この気象データの送信を他の物件Ｂ−Ｆの運転データの送信（白抜き矢印Ａ２０―Ａ２４参照）よりも優先して、他の物件Ｂ−Ｆの送信時間を設定する。つまり、気象データの送信を邪魔しないように他の物件Ｂ−Ｆの送信時間が設定される。従って、図８に示すように、物件Ａの次に運転データの送信が行われる物件Ｄの送信時間は、物件Ａへの気象データの送信が完了する午前１０時２０分ごろに設定される。
【００４８】
本実施形態にかかる複数設備集中管理システムの構成や他の設定動作については第１実施形態にかかる複数設備集中管理システム１と同様である。
＜特徴＞
この複数設備集中管理システムによれば、運転データの送受信だけではなく、気象データのダウンロードやバックアップ等も含めて、各種のデータの送受信の集中を低減することができる。これにより、各種のデータの送受信の集中による不具合の発生をより低減することができる。
【００４９】
なお、本実施形態では、他のデータである気象データを運転データよりも優先して送信時間が設定されているが、他のデータよりも運転データを優先して送信時間が設定されてもよい。
［第３実施形態］
＜設定動作＞
本発明の第３実施形態にかかる複数設備集中管理システムでは、集中管理装置３は、運転データが所定レベルよりも大きい場合には、運転データを複数回に分けて受信するように送信時間を分けて設定する。
【００５０】
以下、運転データが複数回に分けられて物件Ａから送信される場合について図９に基づいて説明する。なお、集中管理装置３は、所定期間の運転データの集計・評価の結果、送信時間が１０分以上かかるような大きさの運転データがある物件から送信されると評価した場合は、運転データを複数回に分けて送信するようにその物件の送信時間を設定する。
【００５１】
図９に示すように、物件Ａから送信される運転データは、全て連続して送信すると午前１０時から送信を開始して午前１０時１５分に送信が完了する程度の大きさである（白抜き矢印Ａ２５および破線矢印Ａ２６参照）。集中管理装置３は、所定期間の物件Ａからの運転データの集計・評価の結果、上記のような物件Ａからの運転データの大きさを予測する。そして、物件Ａに対して、午前１０時からと午前１１時からとの２つの時間を送信時間として設定する。このため、物件Ａのコントローラ２１ａは、運転データを２つにわけ、それぞれの運転データを午前１０時と午前１１時とに送信する（白抜き矢印Ａ２５，Ａ２７参照）。なお、物件Ｂから物件Ｆまでの各物件の運転データの送信は、物件Ａからの送信が完了する午前１０時１０分から午前１１までの間に行われる（白抜き矢印Ａ２８−Ａ３２参照）。
【００５２】
本実施形態にかかる複数設備集中管理システムの構成や他の設定動作については第１実施形態にかかる複数設備集中管理システム１と同様である。
＜特徴＞
この複数設備集中管理システムでは、運転データが所定レベルよりも大きい場合には、運転データが複数回に分けられて送信されるように送信時間が分けて設定される。このため、運転データが大きい場合には、運転データを分けて送信することにより１回当りの送信時間を少なくすることができる。これにより、この複数設備集中管理システムでは、運転データの送信の集中による不具合の発生を低減することができる。
【００５３】
なお、ダイヤルアップ接続のように、通信コストが単位時間毎に増大するような通信環境の場合は、単位時間内に複数回に分けて送信が行われると通信コストが増大してしまう。例えば、接続時間３分毎に１０円の通信コストがかかる場合、３分以内で送信を完了することができる程度の大きさの運転データが２回に分けて送信されると、２倍の通信コストがかかってしまう。従って、上記の所定レベルの設定において通信コストの課金単位時間が考慮されてもよい。上記の例でいえば、３分間で送信が完了する運転データの大きさを所定レベルとして設定するとよい。これにより、通信コストが単位時間毎に増大するような通信環境において運転データの送信が複数回に分けられても、通信コストの増大を防止することができる。
【００５４】
［第４実施形態］
本発明の第４実施形態にかかる複数設備集中管理システムでは、集中管理装置３は、運転データを受信できなかった場合を示す不受信履歴を記憶し、不受信履歴をさらに考慮して送信時間を設定する。
以下、不受信履歴がさらに考慮されて送信時間が設定される場合について図１０に基づいて説明する。
【００５５】
集中管理装置３は、過去１週間分の運転データを集計・評価した結果、物件Ａの運転データの大きさは１０分で送信が完了できる程度の大きさであると評価したとする。集中管理装置３は、この評価に基づいて、物件Ａの送信時間を午前１０時（白抜き矢印Ａ３３参照）、物件Ａに続けて送信が行われる物件Ｄの送信時間を午前１０時１０分に設定した。他の物件Ｂ，Ｅ，Ｃ，Ｆについても同様に、順に１０分間隔で送信時間が設定された（白抜き矢印Ａ３６−３９参照）。そして、この送信時間で、１週間、運転データの送信が再び行われたが、物件Ｄからの運転データが受信されていないことを示す不受信履歴が集中管理装置３に記憶された（図中、破線矢印Ａ３５参照）。不受信の原因として種々のものが考えられるが、例えば、物件Ａからの運転データが実際には集中管理装置３の評価よりも大きく、送信が午前１０時１０分頃には完了せずに１０時２０分頃までかかったことが考えられる（二点鎖線の矢印Ａ３４参照）。
【００５６】
集中管理装置３は、次の再設定時に、物件Ｄの不受信履歴を考慮して、図１１の示すように、物件Ｄの送信時間を物件Ａの送信時間から離して午前１１時に設定する（白抜き矢印Ａ４０参照）。
本実施形態にかかる複数設備集中管理システムの構成や他の設定動作については第１実施形態にかかる複数設備集中管理システム１と同様である。
【００５７】
＜特徴＞
この複数設備集中管理システムでは、不受信履歴がさらに考慮されて送信時間が設定される。このため、物件Ａ−Ｆからの運転データの送信が実際には集中管理装置３の評価と異なる場合等においても、より適切に送信時間の設定を行うことができる。
【００５８】
［第５実施形態］
＜設定動作＞
本発明の第５実施形態にかかる複数設備集中管理システムでは、集中管理装置３は、通信回線網４の使用状況をさらに考慮して送信時間を設定する。通信回線網４の使用状況とは、電話回線を利用した通話やＦＡＸ等の使用等、運転データの送受信以外の用途の使用状況である。
【００５９】
例えば、物件Ａの使用者が夜間に電話を頻繁に使用する場合には、集中管理装置３は、夜間を避けた時間を送信時間として設定する。
本実施形態にかかる複数設備集中管理システムの構成や他の設定動作については第１実施形態にかかる複数設備集中管理システム１と同様である。
＜特徴＞
この複数設備集中管理システムでは、運転データの大きさだけではなく、電話の使用状況など、通信回線網４の使用状況も合わせて考慮されて送信時間が設定される。このため、この複数設備集中管理システムでは、より適切に送信時間の設定を行うことができる。
【００６０】
［他の実施形態］
（１）
上記の実施形態では、送信時間が一定間隔で定められ、運転データの大きさによって設定時間が分散されているが、運転データの大きさを考慮した他の方法によって設定時間の最適化が行われてもよい。例えば、運転データの大きさを考慮して各物件の送信時間の間隔を変えて送信時間を設定してもよい。すなわち、比較的大きな運転データの送信時間の後は、時間間隔を大きく取って次の運転データの送信時間を定め、比較的小さな運転データの送信時間の後は、時間間隔を小さく取って次の運転データの送信時間を定めてもよい。このように送信時間が設定される場合も、設備機器データの送信が集中することを防止することができる。
【００６１】
（２）
上記の実施形態では、１日毎に各物件Ａ−Ｆのコントローラ２１ａ−２１ｆから運転データが送信され、１週間毎に送信時間の再設定が行われているが、運転データの送信の間隔や送信時間の再設定の間隔はこれらに限られるものではない。集中管理装置３やコントローラ２１ａ−２１ｆの能力や運転データの大きさ等に合わせて、これらが変更されてもよい。
【００６２】
（３）
上記の実施形態では、過去の運転データから翌週の運転データの大きさが予測されて送信時間が設定されているが、他の方法によって翌週の運転データの予測されてもよい。また、送信される運転データの大きさが予め判明している場合には、実際の運転データの大きさが考慮されて送信時間が設定されてもよい。
【００６３】
【発明の効果】
請求項１に記載の複数設備集中管理システムでは、集中管理装置は、設備毎の送信時間の設定について、設備毎の状態データの大きさを考慮する。このため、状態データが大きいために送信完了までの時間が長くなった場合でも、複数の設備からの状態データの送信が集中することを低減することができる。これにより、この複数設備集中管理システムでは、集中管理装置への状態データの送信の集中による不具合の発生を低減することができる。
【００６４】
請求項２に記載の複数設備集中管理システムでは、比較的大きな状態データの受信と比較的小さな状態データの受信とが分散するように、各設備の送信時間が設定される。このため、状態データが大きいために送信完了までの時間が長くなった場合でも、小さな状態データの送信完了までの時間は短いため、全体として状態データの送信の集中が緩和される。これにより、この複数設備集中管理システムでは、集中管理装置への状態データの送信の集中による不具合の発生を低減することができる。
【００６５】
請求項３に記載の複数設備集中管理システムでは、所定期間内に受信された状態データの集計結果が考慮されて、送信時間が設定される。このため、設備の過去の状態データから、今後送信される状態データの大きさを予測することができる。そして、その予測に基づいてその設備の送信時間を設定することができる。このように、この複数設備集中管理システムによれば、送信される状態データの大きさが不明であっても、所定期間に受信した状態データを考慮することによって、適切に送信時間を設定することができる。
【００６６】
請求項４に記載の複数設備集中管理システムでは、状態データの集計と、集計結果を考慮した送信時間の設定とが定期的に行われる。このため、ある設備の状態データの大きさが途中から変更になった場合でも、変更後の状態データの大きさが考慮されて送信時間の設定が行われる。このように、この複数設備集中管理システムは、途中で状態データの大きさが変更になっても、この変更に適切に対応することができる。
【００６７】
請求項５に記載の複数設備集中管理システムでは、集中管理装置が送信時間の設定を手動で行う手動設定手段を有する。このため、異常発生時などには手動で送信時間の設定を行うことができる。これにより、この複数設備集中管理システムは、異常発生時にも適切に対応することができる。
請求項６に記載の複数設備集中管理システムでは、状態データを除く他のデータの送受信の時間がさらに考慮されて、状態データの送信時間が設定される。このため、状態データおよび他のデータの受信が集中することを低減することができる。これにより、この複数設備集中管理システムでは、状態データおよび他のデータが集中することによる不具合の発生を低減することができる。
【００６８】
請求項７に記載の複数設備集中管理システムでは、他のデータの送受信が優先されて状態データの送信時間が設定される。このため、状態データの送受信が他のデータの送受信の妨げとなる恐れを低減することができる。
請求項８に記載の複数設備集中管理システムでは、他のデータの送受信と状態データの受信とが連続して行われるように送信時間が設定される。従って、この複数設備集中管理システムでは、状態データと共に参照されることが望ましいような他のデータの受信と状態データとの受信とが連続して行われるように送信時間を設定することができる。
【００６９】
請求項９に記載の複数設備集中管理システムでは、状態データが所定レベルよりも大きい場合には、状態データが複数回に分けて受信されるように送信時間が分けて設定される。このため、状態データが大きい場合には、状態データを分けて送信することにより１回当りの送信時間を少なくすることができる。これにより、この複数設備集中管理システムでは、状態データの送信の集中による不具合の発生を低減することができる。
【００７０】
請求項１０に記載の複数設備集中管理システムでは、不受信履歴がさらに考慮されて送信時間が設定される。このため、より適切に送信時間の設定を行うことができる。
請求項１１に記載の複数設備集中管理システムでは、通信回線の使用状況がさらに考慮されて送信時間が設定される。このため、より適切に送信時間の設定を行うことができる。
【００７１】
請求項１２に記載の集中管理装置では、設備毎の送信時間の設定について、設備毎の状態データの大きさが考慮される。このため、状態データが大きいために送信完了までの時間が長くなった場合でも、複数の設備からの状態データの受信が重なり集中することを低減することができる。これにより、この集中管理装置では、状態データの送信の集中による不具合の発生を低減することができる。
【００７２】
請求項１３に記載の複数設備の管理方法では、設備毎の送信時間の設定について、設備毎の状態データの大きさが考慮される。このため、状態データが大きいために送信完了までの時間が長くなった場合でも、複数の設備からの状態データの受信が重なり集中することを低減することができる。これにより、この複数設備の管理方法では、状態データの送信の集中による不具合の発生を低減することができる。
【図面の簡単な説明】
【図１】複数設備集中管理システムの構成を表すブロック図。
【図２】集中管理装置の構成を表すブロック図。
【図３】送信時間の設定動作を表すフローチャート。
【図４】各物件からの運転データの集計・評価結果を示すグラフ。
【図５】各物件の送信時間の設定を示すタイムチャート。
【図６】各物件からの運転データの集計・評価結果を示すグラフ。
【図７】各物件の送信時間の設定を示すタイムチャート。
【図８】各物件の送信時間の設定を示すタイムチャート。
【図９】各物件の送信時間の設定を示すタイムチャート。
【図１０】各物件の送信時間の設定を示すタイムチャート。
【図１１】各物件の送信時間の設定を示すタイムチャート。
【図１２】従来の集中管理装置による送信時間の設定を示すタイムチャート。
【符号の説明】
１                  複数設備集中管理システム
２ａ−２ｆ          設備
３                  集中管理装置
４                  通信回線網（通信回線）
２０ａ−２０ｆ      設備機器
２１ａ−２１ｆ      コントローラ（機器管理装置）
３１                通信部（受信部）
３３                設定部
３４                手動設定部（手動設定手段）
Ｓ１                第２ステップ
Ｓ４                第１ステップ
【図１】
2004310265.tif 000003
【図２】
2004310265.tif 000004
【図３】
2004310265.tif 000005
【図４】
2004310265.tif 000006
【図５】
2004310265.tif 000007
【図６】
2004310265.tif 000008
【図７】
2004310265.tif 000009
【図８】
2004310265.tif 000010
【図９】
2004310265.tif 000011
【図１０】
2004310265.tif 000012
【図１１】
2004310265.tif 000013
【図１２】
2004310265.tif 000014